【手続補正書】
【提出日】平成15年5月27日(2003.5.27)
【手続補正１】
【補正対象書類名】明細書
【補正対象項目名】特許請求の範囲
【補正方法】変更
【補正の内容】
【特許請求の範囲】
【請求項１】
粉末化生成物を投薬するための投薬装置であって、
前記投薬装置は、
出口を形成するハウジングと、
第１入口と第１出口を備えた粉末化生成物用の貯蔵室を有するシャフトと、
前記シャフト上にスライド可能に装着され、第２入口と脆弱膜によって閉鎖した第２出口とを有するシース手段と、
前記シャフトに操作可能に接続された容積可変手段とからなり、
前記シャフトは、前記容積可変手段を操作して可変容積を減少し前記容積可変手段内部のガスを圧縮させると、前記第１入口と第２入口がずれてガス流路が閉鎖された初期貯蔵位置から、投薬位置まで移動することができ、
投薬位置では、前記シース手段に対する前記ハウジングの作用によって前記第１入口と第２入口が整合するとともに、前記脆弱膜が前記シャフトによって破裂してガス流路が開口し、
これにより、前記容積可変手段の内部から、圧縮ガスが、前記第１入口、第２入口、貯蔵室、第２出口および第１出口からなるガス流路に沿って流出し、粉末化生成物が同伴して前記ハウジング出口から投薬されることを特徴とする投薬装置。
【請求項２】
前記ハウジングは、さらに、貯蔵位置においてハウジング出口をシールするための手段を備える請求項１に記載の投薬装置。
【請求項３】
前記シール手段は、前記シャフトが貯蔵位置から投薬位置まで移動する際に前記シャフトによって破裂される第２の脆弱膜である請求項２に記載の投薬装置。
【請求項４】
前記シール手段は、前記シース手段と前記ハウジングとの間をシールする可撓性膜である請求項２に記載の投薬装置。
【請求項５】
前記シャフトは、前記ハウジング出口の方向に前記脆弱膜に対し移動するシャフトによって前記各脆弱膜が破裂するようにされている請求項１〜４のいずれかに記載の投薬装置。
【請求項６】
前記各脆弱膜は、予め形成した脆弱ラインを１つまたはそれ以上有する請求項１〜５のいずれかに記載の投薬装置。
【請求項７】
前記各脆弱膜は、０．０５〜０．３０  ｍｍの厚みを有する請求項１〜６のいずれかに記載の投薬装置。
【請求項８】
前記シャフトが貯蔵位置から投薬位置まで移動する際に、前記シース手段は、前記ハウジングの内方に向いた肩部に接触する請求項１〜７のいずれかに記載の投薬装置。
【請求項９】
前記内方に向いた肩部は、前記ハウジングの管状延長部内に形成されている請求項８に記載の投薬装置。
【請求項１０】
前記シャフトが貯蔵位置から投薬位置まで移動する際に前記シャフトを受け入れる前記管状延長部のマウスは、截頭円錐形を有する請求項９に記載の投薬装置。
【請求項１１】
前記シース手段は、外方に向いた肩部を有し、該外方に向いた肩部は、前記シャフトが貯蔵位置から投薬位置まで移動する際に前記ハウジングの前記内方に向いた肩部に接触する請求項８〜１０のいずれかに記載の投薬装置。
【請求項１２】
前記シース手段は、前記シャフトに対しスライドシールを形成する請求項１〜１１のいずれかに記載の投薬装置。
【請求項１３】
前記シース手段と前記シャフトとの間に、１つまたはそれ以上のシール部材が設けられている請求項１２に記載の投薬装置。
【請求項１４】
前記シャフトの第１入口の軸は、径方向に向いている請求項１〜１３のいずれかに記載の投薬装置。
【請求項１５】
前記シャフトの第１入口の軸が、軸方向に向いている請求項１〜１４のいずれかに記載の投薬装置。
【請求項１６】
前記シャフトの第１入口の軸が、径方向成分および軸方向成分の両成分を有するように向いている請求項１〜１４のいずれかに記載の投薬装置。
【請求項１７】
前記シャフトの第１入口の軸は、径方向、軸方向および周方向の成分を有するように向いている請求項１〜１４のいずれかに記載の投薬装置。
【請求項１８】
前記貯蔵室は、１つを超える数の入口を有する請求項１〜１７のいずれかに記載の投薬装置。
【請求項１９】
前記入口は、前記貯蔵室の長さに沿って相互に軸方向に変位する請求項１８に記載の投薬装置。
【請求項２０】
前記シャフトの第１入口は、前記貯蔵室内に貯蔵した粉末化生成物のレベルよりも上方に位置する請求項１〜１９のいずれかに記載の投薬装置。
【請求項２１】
前記シャフトの第１入口は、前記貯蔵室内に貯蔵した粉末化生成物のレベルよりも下方に位置する請求項１〜１９のいずれかに記載の投薬装置。
【請求項２２】
前記シャフトの貯蔵室は、半球形、Ｖ字形またはＵ字形の底部を有する請求項１〜２１のいずれかに記載の投薬装置。
【請求項２３】
前記貯蔵室の内壁は、らせん溝を有する請求項１〜２２のいずれかに記載の投薬装置。
【請求項２４】
前記シャフトは、前記各脆弱膜を破裂させるための孔抜き手段を有する請求項１〜２３のいずれかに記載の投薬装置。
【請求項２５】
前記シャフトは、投薬位置において前記ハウジングと係合して当該シャフトを前記ハウジングに対し保持するための手段からなる請求項１〜２４のいずれかに記載の投薬装置。
【請求項２６】
前記保持手段は、前記シャフトの出口付近に位置しかつ反対方向に向いた１つまたはそれ以上の突起である請求項２５に記載の投薬装置。
【請求項２７】
前記容積可変手段は、ベローズである請求項１〜２６のいずれかに記載の投薬装置。
【請求項２８】
前記容積可変手段は、可撓性の袋である請求項１〜２７のいずれかに記載の投薬装置。
【請求項２９】
前記容積可変手段が、脆弱部を有する管である請求項１〜２８のいずれかに記載の投薬装置。
【請求項３０】
前記少なくともハウジングが、成形品である請求項１〜２９のいずれかに記載の投薬装置。
【請求項３１】
前記シャフトが、成形品である請求項３０に記載の投薬装置。
【請求項３２】
前記シース手段が、成形品である請求項３０または３１に記載の投薬装置。
【請求項３３】
ポリエチレン、ポリプロピレンおよび他の熱可塑性エラストマーからなる群から選ばれる１つまたはそれ以上の材料から形成されている請求項１〜３２のいずれかに記載の投薬装置。
【請求項３４】
粉末化生成物の経鼻投与用として適合した請求項１〜３３のいずれかに記載の投薬装置。
【請求項３５】
粉末化生成物の経口投与用として適合した請求項１〜３３のいずれかに記載の投薬装置。
【手続補正２】
【補正対象書類名】明細書
【補正対象項目名】０００３
【補正方法】変更
【補正の内容】
【０００３】
（発明の開示）
本発明は、粉末化生成物を投薬するための投薬装置であって、
前記投薬装置は、
出口を形成するハウジングと、
第１入口と第１出口を備えた粉末化生成物用の貯蔵室を有するシャフトと、
前記シャフト上にスライド可能に装着され、第２入口と脆弱膜によって閉鎖した第２出口とを有するシース手段と、
前記シャフトに操作可能に接続された容積可変手段とからなり、
前記シャフトは、前記容積可変手段を操作して可変容積を減少し前記容積可変手段内部のガスを圧縮させると、前記第１入口と第２入口がずれてガス流路が閉鎖された初期貯蔵位置から、投薬位置まで移動することができ、
投薬位置では、前記シース手段に対する前記ハウジングの作用によって前記第１入口と第２入口が整合するとともに、前記脆弱膜が前記シャフトによって破裂してガス流路が開口し、
これにより、前記容積可変手段の内部から、圧縮ガスが、前記第１入口、第２入口、貯蔵室、第２出口および第１出口からなるガス流路に沿って流出し、粉末化生成物が同伴して前記ハウジング出口から投薬されることを特徴とする投薬装置を提供する。